(57)【要約】      （修正有）【課題】夏季密閉空車時のような、車室内温度がかなりの高温になった時は容器の通気孔を塞いで、消臭剤等の過度の消耗を防止するとともに、通常温度時では所定の通気孔隙間を確保することによって所定の蒸発・発散を保ち所定の消臭・芳香効果を確保することを可能とするような車載用消臭または芳香剤容器を提供する。【解決手段】容器本体１に螺合または嵌合された通気孔３ｂつき蓋体３の上面に収納され、温度変化によってその形状を変化させる可逆的形状可変複合構造体コイル４の伸縮により、通常温度時には所定の通気孔隙間を確保し、容器に充填された消臭剤等の所要の蒸発・発散を可能とし、夏季密閉空車時のようなかなりの高温時には通気孔を塞いで消臭剤等の蒸発・発散を防ぎ、消臭剤等の無用な消耗を防止する。【選択図】図１
0003181865.tif 000002
【実用新案登録請求の範囲】
【請求項１】
容器本体に螺合または嵌合された通気孔つき蓋体の上面に収納された温度変化によってその形状を変化させる可逆的形状可変複合構造体コイルの伸縮により、通常温度時には所定の通気孔隙間を確保し、容器に充填された消臭剤等の所定量の蒸発・発散を可能とし、夏季密閉空車時のようなかなりの高温時（例えば、５０℃以上）には通気孔を塞いで隙間をなくして消臭剤等の蒸発・発散を防ぎ、消臭剤等の過度の消耗を防止することを可能とするような車載用消臭または芳香剤容器。
【考案の詳細な説明】
【技術分野】
【０００１】  本考案は、車載用の消臭剤または芳香剤（以下、消臭剤等という）の容器に関するもので、夏季密閉空車時のような、車室内温度がかなりの高温（例えば５０℃以上）になった時（以下、高温時という）は容器の通気孔を塞ぎ、通常温度時では所定の通気孔隙間を確保することによって容器内消臭剤等の過度の消耗を防止するための車載用消臭または芳香剤容器に関する。
【背景技術】
【０００２】  夏季密閉空車時の自動車室内は７０℃以上にもなると言われ、建物居住室内とは比較にならない程の高温になる。現在市販されている消臭剤等容器は、容器の通気孔隙間が温度によって変化しないので、このような高温下では消臭剤等の蒸発・発散が必要以上に促進され、その消耗を必要以上に早めてしまうので都合が悪い。【０００３】  関連する公知技術としては、特開平６−１２７５７４（特願平４−３０４４９２）「消臭剤容器」および特開平６−１２７５７５（特願平４−３０６２６８）「消臭剤容器」がある。これら二つの関連公知技術は容器の形状と構造は違うが、いずれも、▲１▼車載用消臭剤を対象にしていない。▲２▼形状記憶合金バネと通常バネの二つの部品からなるバイアス式形状記憶合金を用いている。▲３▼消臭剤の発散量は高温時に増大するようになっている、の３点が共通である。【０００４】  因みに本考案は、▲１▼車載用の消臭剤等を対象にしている。▲２▼容器通気孔の隙間調節に考案者がすでに発明している可逆的形状変化を発現する複合構造体コイル（特許２６６８８５０号、１９９７）を用いている。▲３▼高温時には通気孔隙間を塞いで消臭剤等の蒸発・発散を防ぎ、低温時には所定の通気孔隙間を確保して所定の消耗量を維持して、所要の消臭・芳香効果を確保しようとするもので、関連公知技術とは対象用途、機構構成、使用目的、いずれも異なる。
【先行技術文献】
【特許文献】
【０００５】
【特許文献１】  特開平６−１２７５７４
【特許文献２】  特開平６−１２７５７５
【特許文献３】  特許２６６８８５０号、１９９７
【考案の概要】
【考案が解決しようとする課題】
【０００６】  現在市販されている車載用消臭剤等は、容器の通気孔隙間が温度によって変化しないので、夏季密閉空車時における車内のような高温下では消臭剤等の蒸発・発散が必要以上に促進され、その消耗を過度に早めてしまうので使用者に無用な経済的負担を強いる。また、公知技術である［特許文献１］と［特許文献２］における技術は、車載用消臭剤を対象としていないため、高温時に消臭剤の蒸発・発散を促進させる構造となっていて、本考案の目的とは異なり、車載用の消臭剤等の容器としては使えない。【０００７】  以上のような状況に鑑み、本考案は車載用消臭剤等の高温時における消臭剤等の過度の消耗を防止するために車内温度がかなりの高温（例えば５０℃以上）になったときは消臭剤等容器の通気孔を塞いで消臭剤等の蒸発・発散を防ぎ、通常温度においては所定の通気孔隙間を確保して消臭剤等の所定の蒸発・発散を可能とするような車載用消臭または芳香剤容器を提供することを目的としている。
【課題を解決するための手段】
【０００８】  上記の目的を達成するために、本考案は、車室内温度が所定温度（例えば５０℃）以上になると容器の通気孔を塞いで消臭剤等の蒸発・発散を防ぎ、通常温度においては所定の通気孔隙間を確保して消臭剤等の所定の蒸発・発散を可能とするような車載用消臭または芳香剤容器を構成している。
【考案の効果】
【０００９】  現在市販されている車載用消臭剤等は、容器の通気孔隙間の大きさが温度によって変化しないので、夏季密閉空車時の車内のような高温下では消臭剤等の蒸発・発散が必要以上に促進され、その消耗を必要以上に早めてしまうので使用者に無用な経済的負担を強いる。また、従来技術である［特許文献１］と［特許文献２］における技術は、車載用の消臭剤を対象としていないため、高温時に消臭剤の蒸発・発散を促進させる構造となって、本考案の目的とは異なり、車載用消臭剤等の容器には使えない。【００１０】  しかるに、本考案は、車載用消臭剤等を対象にしていて、容器通気孔の隙間調節には本件考案者がすでに発明・登録している可逆的形状可変複合構造体コイル（［特許文献３］）を用いて、高温時（例えば５０℃以上）には容器通気孔の隙間を塞ぎ、通常温度時には容器通気孔の隙間を所定の大きさに維持することが可能である。したがって、高温時には消臭剤等の蒸発・発散を防いで無用な消耗を防ぎ、通常温度時には所定の通気孔隙間を確保して所要の消臭・芳香効果を発揮させることが可能である。
【図面の簡単な説明】
【０００１１】
【図１】車載用消臭または芳香剤容器の断面図（通常温度時）
【図２】車載用消臭または芳香剤容器の断面図（高温度時）
【図３】可逆的形状可変複合構造体コイル４の構成図
【考案を実施するための形態】
【実施例】
【００１２】  以下、図面に基づいて実施例について説明する。
図１は本考案の車載用消臭または芳香剤容器の断面図であり、通常温度時の状態を示す。図１において、容器本体１には消臭剤等２が充填され、蓋体３が容器本体１に螺合または嵌合される。蓋体３の上面には可逆的形状可変複合構造体コイル４を収納するためのコイル収納部３ａと消臭剤等を外部に蒸発・発散させるための通気孔３ｂが付設される。コイル収納部３ａには可逆的形状可変複合構造体コイル４が収納され、該可逆的形状可変複合構造体コイル４の上端部には通気孔３ｂを塞いだり開けたりするための可動蓋体５が載せられている。可動蓋体５が載せられたこの状態において蓋体３と可動蓋体５との間に、消臭剤等２の蒸発・発散が可能となるような所定の通気孔隙間６が確保されるように、可動蓋体５または可逆的形状可変複合構造体コイル４の寸法が設定される。このようにして、車室内温度が通常温度時には消臭剤等２の所定の蒸発・発散が可能となって所定の消臭または芳香効果が確保される。【００１３】  一方、図２に示すように、夏季密閉空車時のようなかなりの高温時においては、可逆的形状可変複合構造体コイル４が通常温度時より収縮し、蓋体３と可動蓋体５が密着して通気孔３ｂを塞ぎ、消臭剤等２の蒸発・発散を防ぎ、該消臭剤等２の無用な消耗を防ぐ。【００１４】  図３は、本実用新案の考案者が発明した［特許文献３］（特許登録済）における可逆的形状可変複合構造体コイル４の構成図である。該可逆的形状可変複合構造体コイル４は、図（ａ）のように、初期長さ（記憶されている長さ）ＬａのＴｉ−Ｎｉ形状記憶合金（以下、Ｔｉ−Ｎｉ  ＳＭＡと記す）４ａを初期長さＬｍの既製の弾性体４ｂ（図（ｂ））と複合化するか、または、Ｔｉ−Ｎｉ  ＳＭＡ４ａを伸ばして長さＬｍに保持した状態で液状高分子等を注型・硬化させて、初期長さＬｍの弾性体４ｂとし、結果として初期長さＬａのＴｉ−Ｎｉ  ＳＭＡとの複合構造体とするかの２つの方法がある。弾性体４ｂが軟質弾性体で弾性係数が不足するばあいは、他の硬質弾性体（金属、プラスチック、繊維強化プラスチック等）を組み合わせて初期長さＬｍの弾性体４ｂを構成することもある。【００１５】  上記の複合化が完了後、通常温度状態で各構成材４ａ及び４ｂを所定長さに保持していた拘束を解除した時の複合構造体の長さをＬｃｌとする（図（ｃ））。【００１６】  通常温度状態で長さがＬｃｌである可逆的形状可変複合構造体コイル４が夏季密閉空車時のような高温状態におかれるとき、つまりＴｉ−Ｎｉ  ＳＭＡ４ａの相変態点温度Ｔｃｒ以上の温度におかれると、該Ｔｉ−Ｎｉ  ＳＭＡ４ａは記憶されている長さＬａに戻ろうとして収縮するが、初期長さＬｍを保とうとする弾性体４ｂに邪魔されてＬａには戻れず、Ｌｃｌよりは小さいがＬａよりは大きいＬｃｈの長さに落ちつく。このとき、各構成材と複合構造体の長さの関係は下記の数式１によって与えられる。また、通常温度時および高温時の可逆的形状可変複合構造体コイル４の長さＬｃｌおよびＬｃｈは、それぞれ数式２および数式３で与えられる。
また、数式中の記号は表１に与えられる。
なお、Ｔｉ−Ｎｉ  ＳＭＡ４ａの相変態点温度Ｔｃｒは形状記憶処理温度の調整によって制御可能なので、例えば、４０℃以上で容器の通気孔を塞ぐか、５０℃以上で容器の通気孔を塞ぐか等は自由に選択できる。【００１７】
【数式１】
0003181865.tif 000003
【数式２】
0003181865.tif 000004
【数式３】
0003181865.tif 000005
【００１８】
【表１】
0003181865.tif 000006
【符号の説明】
【００１９】１  容器本体
２  消臭剤等
３  蓋体
３ａ  コイル収納部
３ｂ  通気孔
４  可逆的形状可変複合構造体コイル
４ａ  Ｔｉ−Ｎｉ形状記憶合金（Ｔｉ−Ｎｉ  ＳＭＡ）
４ｂ  弾性体
５  可動蓋体
６  通気孔隙間
【図１】
0003181865.tif 000007
【図２】
0003181865.tif 000008
【図３】
0003181865.tif 000009
【手続補正書】
【提出日】平成24年9月4日(2012.9.4)
【手続補正１】
【補正対象書類名】実用新案登録請求の範囲
【補正対象項目名】全文
【補正方法】変更
【補正の内容】
【実用新案登録請求の範囲】
【請求項１】
容器本体に螺合または嵌合された通気孔つき蓋体の上面凹部に収納され、または該蓋体の上面にその端末が接着または螺子止めされたところの可逆的形状可変複合構造体、すなわち、該可逆的形状可変複合構造体は本件実用新案請求の考案者である吉田均が発明したもので、その構成素材であるチタン−ニッケル形状記憶合金（Ｔｉ−Ｎｉ  ＳＭＡ）に所要の形状記憶処理を施すことで希望の相変態点、つまり何度において形状変化をし始めるかどうかの温度、を設定できるものであり、コイル状に製造する場合、相変態点温度を境にして、これより高温になったときには収縮して、これより低温になったときには伸長するように製造することも可能であり、その逆の収縮・伸長現象を発現させることも可能（特許第２６６８８５０号、１９９７年）であるが、これをコイル状に製造し、温度変化時のコイルの伸縮により、通常温度時（２０°Ｃ〜２５°Ｃ）にはコイルの長さが長くなるように製造しておいて消臭剤等の発散量が最適となるような通気孔隙間を確保し、夏季密閉空車時のようなかなりの高温時（例えば、５０℃以上）はコイルの長さが短くなるように製造しておいて通気孔の隙間を塞いで消臭剤等の蒸発・発散を防ぎ、消臭剤等の過度の消耗を防止することを可能とするような車載用消臭または芳香剤容器。
【手続補正書】
【提出日】平成24年12月5日(2012.12.5)
【手続補正１】
【補正対象書類名】実用新案登録請求の範囲
【補正対象項目名】全文
【補正方法】変更
【補正の内容】
【実用新案登録請求の範囲】
【請求項１】
容器本体と、前記容器本体に螺合または勘合され、上面に通気孔を有する蓋体と、前記蓋体の上面凹部に収容され、または前記蓋体の上面に端末が接着または螺子止めされた可逆的形状可変複合構造体コイルと、前記可逆的形状可変複合体コイルの上端部に載置された可動蓋体と、を備え、通常温度時には前記蓋体と前記可動蓋体との間に所定の通気孔隙間を確保し、高温時には前記蓋体と前記可動蓋体とを密着させて前記通気孔を塞ぐように、前記可逆的形状可変複合構造体コイルの寸法を設定したことを特徴とする車載用消臭または芳香剤容器。